(57)【特許請求の範囲】
【請求項１】
高圧ポンプにより燃料を高圧にして燃料噴射弁に供給し、この燃料噴射弁から燃料を気筒内に直接噴射する筒内噴射式の内燃機関の燃圧制御装置において、
前記高圧ポンプから前記燃料噴射弁に供給される燃料の圧力（以下「燃圧」という）を検出する燃圧検出手段と、
内燃機関の運転状態に応じて目標燃圧を設定する目標燃圧設定手段と、
要求燃料噴射量と内燃機関回転速度に基づいてフィードフォワード制御量を設定するフィードフォワード制御と、前記目標燃圧と前記燃圧検出手段の検出燃圧との偏差に応じたフィードバック制御量を設定するフィードバック制御とを併用するＦ／Ｆ−Ｆ／Ｂ併用制御を用い、前記燃圧検出手段の検出燃圧を前記目標燃圧に一致させるように前記フィードフォワード制御量と前記フィードバック制御量とから前記高圧ポンプの制御量を設定して前記高圧ポンプの吐出量を制御する燃圧制御手段とを備え、
前記燃圧制御手段は、内燃機関の運転状態がアイドル状態のときには前記フィードフォワード制御を使用せずに前記フィードバック制御による前記目標燃圧と前記燃圧検出手段の検出燃圧との偏差に応じたフィードバック制御量のみで前記高圧ポンプの吐出量を制御するＦ／Ｂ単独制御を実行することを特徴とする筒内噴射式の内燃機関の燃圧制御装置。
【請求項２】
前記燃圧制御手段は、内燃機関の運転状態が非アイドル状態からアイドル状態に移行したときに、前記目標燃圧設定手段により前記目標燃圧を非アイドル状態よりも低圧側に設定して前記Ｆ／Ｂ単独制御を実行することを特徴とする請求項１に記載の筒内噴射式の内燃機関の燃圧制御装置。
【請求項３】
前記燃圧制御手段は、内燃機関の運転状態がアイドル状態で、且つ、前記目標燃圧又は前記燃圧検出手段の検出燃圧が所定値以下のときに前記Ｆ／Ｂ単独制御を実行することを特徴とする請求項１に記載の筒内噴射式の内燃機関の燃圧制御装置。
【請求項４】
前記燃圧制御手段は、内燃機関の運転状態がアイドル状態で前記Ｆ／Ｂ単独制御を実行している期間も、前記フィードフォワード制御の制御量を演算する処理を続行し、内燃機関の運転状態がアイドル状態から非アイドル状態に移行したときに、その直前に演算した前記フィードフォワード制御の制御量を使用して前記Ｆ／Ｆ−Ｆ／Ｂ併用制御を直ちに開始することを特徴とする請求項１乃至３のいずれかに記載の筒内噴射式の内燃機関の燃圧制御装置。
【請求項５】
前記燃圧制御手段は、内燃機関の運転状態が非アイドル状態からアイドル状態に移行したときに、前記フィードフォワード制御の制御量を徐々に減少させる徐変制御を暫く行った後に前記Ｆ／Ｂ単独制御に移行することを特徴とする請求項１に記載の筒内噴射式の内燃機関の燃圧制御装置。
【請求項６】
前記燃圧制御手段は、内燃機関の運転状態が非アイドル状態からアイドル状態に移行してから所定期間が経過するまで前記Ｆ／Ｆ−Ｆ／Ｂ併用制御を継続し、当該所定期間が経過した後に前記Ｆ／Ｂ単独制御に移行することを特徴とする請求項１に記載の筒内噴射式の内燃機関の燃圧制御装置。
【請求項７】
前記燃圧制御手段は、内燃機関の運転状態が非アイドル状態からアイドル状態に移行したときに、前記燃圧検出手段の検出燃圧と前記目標燃圧との偏差に応じて前記フィードバック制御の比例ゲインを設定して前記Ｆ／Ｂ単独制御を開始することを特徴とする請求項１に記載の筒内噴射式の内燃機関の燃圧制御装置。
【請求項８】
前記フィードバック制御では、少なくとも比例項と積分項を演算して制御量を求め、
前記燃圧制御手段は、内燃機関の運転状態が非アイドル状態からアイドル状態に移行したときに、前記フィードフォワード制御の制御量を前記フィードバック制御の積分項の初期値にセットして前記Ｆ／Ｂ単独制御を開始することを特徴とする請求項１に記載の筒内噴射式の内燃機関の燃圧制御装置。
【請求項９】
前記燃圧制御手段は、内燃機関の運転状態がアイドル状態から非アイドル状態に移行したときに、前記フィードバック制御の積分項の値を前記フィードフォワード制御の制御量の初期値にセットして前記Ｆ／Ｆ−Ｆ／Ｂ併用制御を開始することを特徴とする請求項８に記載の筒内噴射式の内燃機関の燃圧制御装置。
【請求項１０】
前記燃圧制御手段は、内燃機関の運転状態が非アイドル状態からアイドル状態に移行し、且つ、前記燃圧検出手段の検出燃圧と前記目標燃圧との偏差が所定値以内になったときに、前記フィードフォワード制御の制御量を前記フィードバック制御の積分項の初期値にセットして前記Ｆ／Ｂ単独制御を開始することを特徴とする請求項８に記載の筒内噴射式の内燃機関の燃圧制御装置。
【請求項１１】
前記フィードバック制御では、少なくとも比例項と積分項を演算して制御量を求め、
前記燃圧制御手段は、内燃機関の運転状態が非アイドル状態からアイドル状態に移行したときに、前記フィードバック制御の積分項の初期値をその時の運転状態や燃圧に応じて設定して前記Ｆ／Ｂ単独制御を開始することを特徴とする請求項１に記載の筒内噴射式の内燃機関の燃圧制御装置。
【請求項１２】
前記燃圧制御手段は、内燃機関の始動からの経過時間が所定時間以内の場合、又は、内燃機関の冷却水温が所定温度以下の場合は、内燃機関の運転状態が非アイドル状態からアイドル状態に移行しても、前記Ｆ／Ｂ単独制御に移行せず、前記Ｆ／Ｆ−Ｆ／Ｂ併用制御を継続することを特徴とする請求項１乃至１１のいずれかに記載の筒内噴射式の内燃機関の燃圧制御装置。
【発明の詳細な説明】
【技術分野】
【０００１】
本発明は、高圧燃料を燃料噴射弁に供給する高圧ポンプの吐出量をフィードフォワード制御とフィードバック制御とにより制御する筒内噴射式の内燃機関の燃圧制御装置に関する発明である。
【背景技術】
【０００２】
気筒内に燃料を直接噴射する筒内噴射エンジンは、吸気ポートに燃料を噴射する吸気ポート噴射エンジンと比較して、噴射から燃焼までの時間が短く、噴射燃料を霧化させる時間を十分に稼ぐことができないため、噴射圧力を高圧にして噴射燃料を微粒化する必要がある。そのため、筒内噴射エンジンでは、燃料タンクから低圧ポンプで汲み上げた燃料を、エンジンのカム軸で駆動する高圧ポンプにより高圧にして燃料噴射弁へ圧送すると共に、燃料噴射弁に供給される燃料の圧力（以下「燃圧」という）を燃圧センサで検出して、その検出燃圧を目標燃圧に一致させるように高圧ポンプの吐出量（燃圧制御弁の閉弁時間）を制御するようにしている。
【０００３】
近年の筒内噴射エンジンは、図４に示すように、運転領域毎に目標燃圧を設定して燃圧を広範囲に制御するようになっており、エンジン停止直前のアイドル状態でも燃圧が８ＭＰａ程度の高圧に維持されるようになっている。このため、エンジン停止中に燃料噴射弁から漏れる燃料（油密）が多くなり、その漏れ燃料が筒内に溜まって次の始動時に未燃焼のまままま排出されてしまい、始動時の排気エミッションが悪化するという問題が発生する。図６に示すように、油密は燃圧が高くなるほど増加するため、油密を低減するには、エンジン停止時の燃圧を低下させることが効果的である。
【０００４】
一般に、筒内噴射エンジンは、高圧ポンプの吐出１回当たり燃料噴射弁の噴射が２〜３回行われるため、燃圧制御（高圧ポンプの吐出量制御）をフィードバック制御のみで行ったのでは過渡時の目標燃圧の変化に対する実燃圧の追従性を確保できない可能性がある。そこで、特許文献１（特許第３６３３３８８号公報）に記載されているように、目標燃圧と実燃圧との偏差に応じて制御量を設定するフィードバック制御に加え、要求燃料噴射量に応じて制御量を予測して設定するフィードフォワード制御を併用することで、過渡時の目標燃圧の変化に対する実燃圧の追従性を向上させるようにしたものがある。
【０００５】
しかし、この構成では、エンジン停止直前にフィードフォワード制御により高圧ポンプが噴射２〜３回分の燃料を吐出した直後に噴射が実行されずにエンジンが停止されると、図７に示すように、エンジン停止直前の高圧ポンプの吐出により燃圧が大きく上昇した状態でエンジンが停止されてしまうことになる。これにより、油密が益々増加するという問題が発生する。
【０００６】
この対策として、特許文献２（特開２００５−１３３６４９号公報）に記載されているように、燃料噴射弁に高圧燃料を分配するデリバリパイプに、電磁リリーフ弁を介してリターン配管を接続して、エンジン停止信号が検知されたときに、電磁リリーフ弁を開放してデリバリパイプ内の燃料をリターン配管を通して燃料タンク内に戻すことで、燃圧を低下させるようにしたものがある。
【０００７】
しかし、この構成では、電磁リリーフ弁やその駆動回路とリターン配管を設ける必要があるため、コストアップの問題が避けられない。しかも、デリバリパイプ内の高圧の燃料が電磁リリーフ弁の開放により急激に大気圧付近（燃料タンク内圧）まで減圧されて燃料タンク内に戻されることになるため、燃料タンク内に戻される燃料にベーパ（気泡）が発生しやすくなり、次の始動時に燃料ポンプのベーパ吸い込みの問題が発生する。
【０００８】
また、特許文献３（特開２００４−２９３３５４号公報）に記載されているように、エンジン停止条件が成立した後も、燃料噴射を継続して、実燃圧が目標燃圧まで低下してから、燃料噴射を停止してエンジンを停止させるようにしたものがある。
【０００９】
しかし、この構成では、エンジン停止条件が成立してから実際にエンジンが停止するまでに時間遅れが生じるため、運転者に違和感を感じさせる懸念がある。
【特許文献１】特許第３６３３３８８号公報（第３頁〜第４頁等）
【特許文献２】特開２００５−１３３６４９号公報（第５頁〜第７頁等）
【特許文献３】特開２００４−２９３３５４号公報（第１頁）
【発明の開示】
【発明が解決しようとする課題】
【００１０】
上述したように、フィードフォワード制御とフィードバック制御とを併用するＦ／Ｆ−Ｆ／Ｂ併用制御により高圧ポンプの吐出量を制御するシステムにおいて、油密の問題を改善しようとする従来技術では、コストアップ、ベーパ発生、エンジン停止時期の遅れの問題が発生する。
【００１１】
そこで、本発明の目的は、フィードフォワード制御とフィードバック制御とを併用するＦ／Ｆ−Ｆ／Ｂ併用制御により高圧ポンプの吐出量を制御するシステムにおいて、従来の油密低減技術におけるコストアップ、ベーパ発生、エンジン停止時期の遅れの問題を解決しながら内燃機関の停止中の油密を低減することができる筒内噴射式の内燃機関の燃圧制御装置を提供することにある。
【課題を解決するための手段】
【００１２】
上記目的を達成するために、請求項１に係る発明は、高圧ポンプから燃料噴射弁に供給される燃料の圧力（以下「燃圧」という）を検出する燃圧検出手段と、内燃機関の運転状態に応じて目標燃圧を設定する目標燃圧設定手段と、要求燃料噴射量と内燃機関回転速度に基づいてフィードフォワード制御量を設定するフィードフォワード制御と、前記目標燃圧と前記燃圧検出手段の検出燃圧との偏差に応じたフィードバック制御量を設定するフィードバック制御とを併用するＦ／Ｆ−Ｆ／Ｂ併用制御を用い、前記燃圧検出手段の検出燃圧を前記目標燃圧に一致させるように前記フィードフォワード制御量と前記フィードバック制御量とから前記高圧ポンプの制御量を設定して前記高圧ポンプの吐出量を制御する燃圧制御手段とを備えたものにおいて、内燃機関の運転状態がアイドル状態のときには前記フィードフォワード制御を使用せずに前記フィードバック制御による前記目標燃圧と前記燃圧検出手段の検出燃圧との偏差に応じたフィードバック制御量のみで高圧ポンプの吐出量を制御するＦ／Ｂ単独制御を実行するようにしたものである。
【００１３】
要するに、内燃機関が停止する際には、アイドル状態を経て停止するため、アイドル状態のときにＦ／Ｂ単独制御を実行すれば、内燃機関の停止直前にフィードフォワード制御により高圧ポンプが噴射２〜３回分の燃料を吐出することを未然に防止できて、内燃機関の停止時の燃圧を従来よりも低下させることができる。これにより、内燃機関の停止中の油密（燃料噴射弁からの燃料漏れ）を低減して始動時の排気エミッションを改善することができると共に、従来の油密低減技術におけるコストアップ、ベーパ発生、エンジン停止時期の遅れの問題を解決することができる。
【００１４】
この場合、請求項２のように、内燃機関の運転状態が非アイドル状態からアイドル状態に移行したときに、目標燃圧を非アイドル状態よりも低圧側に設定してＦ／Ｂ単独制御を実行するようにしても良い。このように、アイドル状態のときに実行するＦ／Ｂ単独制御の目標燃圧を低下させれば、内燃機関の停止時の燃圧をより確実に低下させることができ、内燃機関の停止中の油密をより確実に低減することができる。
【００１５】
ところで、アイドル時であっても、例えば、内燃機関の未暖機時やエアコン等の補機類の負荷増大時のように、目標アイドル回転速度を上昇させるアイドルアップ制御が実行されることがあるが、このアイドルアップ制御実行時には、目標燃圧（要求燃料噴射量）が通常のアイドル時よりも上昇するため、フィードバック制御のみでは、アイドルアップ制御開始時の目標燃圧の変化に対する実燃圧の追従性が遅くなる可能性がある。また、非アイドル状態からアイドル状態に移行した直後は、まだ実燃圧が高くて、アイドル時の目標燃圧と実燃圧との偏差が大きいために、フィードバック制御のみでは、アイドル時の目標燃圧に対する実燃圧の追従性が遅くなる可能性がある。
【００１６】
この対策として、請求項３のように、内燃機関の運転状態がアイドル状態で、且つ、目標燃圧又は燃圧検出手段の検出燃圧が所定値以下のときにＦ／Ｂ単独制御を実行するようにしても良い。このようにすれば、アイドル時であっても、アイドルアップ制御実行時のように、目標燃圧（要求燃料噴射量）が通常のアイドル時よりも上昇する場合、又はアイドル状態からアイドル状態に移行した直後でアイドル時の目標燃圧と実燃圧との偏差が大きい場合は、非アイドル時と同様にＦ／Ｆ−Ｆ／Ｂ併用制御を実行することができ、目標燃圧の変化に対する実燃圧の追従性を確保できる。
【００１７】
また、内燃機関の運転状態がアイドル状態から非アイドル状態に移行したときには、急速に燃圧を上昇させる必要があるが、Ｆ／Ｂ単独制御の実行中にフィードフォワード制御の制御量の演算を完全に停止すると、Ｆ／Ｂ単独制御からＦ／Ｆ−Ｆ／Ｂ併用制御に切り換えたときに、Ｆ／Ｆ−Ｆ／Ｂ併用制御の開始当初はフィードフォワード制御の制御量が有効に働かず、その分、燃圧上昇が遅れる可能性がある。
【００１８】
この対策として、請求項４のように、内燃機関の運転状態がアイドル状態でＦ／Ｂ単独制御を実行している期間も、フィードフォワード制御の制御量を演算する処理を続行し、内燃機関の運転状態がアイドル状態から非アイドル状態に移行したときに、その直前に演算したフィードフォワード制御の制御量を使用してＦ／Ｆ−Ｆ／Ｂ併用制御を直ちに開始するようにしても良い。このようにすれば、アイドル状態から非アイドル状態に移行したときに、Ｆ／Ｆ−Ｆ／Ｂ併用制御の開始当初からフィードフォワード制御の適正な制御量が有効に働き始めるため、急速に燃圧を上昇させることができ、加速性やドライバビリティを向上させることができる。
【００１９】
また、請求項５のように、内燃機関の運転状態が非アイドル状態からアイドル状態に移行したときに、フィードフォワード制御の制御量を徐々に減少させる徐変制御を暫く行った後にＦ／Ｂ単独制御に移行するようにしても良い。このようにすれば、Ｆ／Ｆ−Ｆ／Ｂ併用制御からＦ／Ｂ単独制御に切り換える際の高圧ポンプの制御量の急変を避けることができて、アイドル状態移行初期の燃圧安定性や内燃機関の回転安定性を向上させることができる。
【００２０】
また、内燃機関の運転状態が非アイドル状態からアイドル状態に移行した直後は過渡状態で燃圧や内燃機関の回転状態が不安定に変動している場合があることを考慮して、請求項６のように、内燃機関の運転状態が非アイドル状態からアイドル状態に移行してから所定期間が経過するまでＦ／Ｆ−Ｆ／Ｂ併用制御を継続し、当該所定期間が経過した後にＦ／Ｂ単独制御に移行するようにしても良い。このようにすれば、内燃機関の運転状態がアイドル状態に移行してから燃圧制御状態や内燃機関の回転状態が安定するのを待ってＦ／Ｆ−Ｆ／Ｂ併用制御からＦ／Ｂ単独制御に切り換えることができ、Ｆ／Ｂ単独制御に切り換える際の燃圧安定性や内燃機関の回転安定性を向上させることができる。
【００２１】
また、請求項７のように、内燃機関の運転状態が非アイドル状態からアイドル状態に移行したときに、燃圧検出手段の検出燃圧と目標燃圧との偏差に応じてフィードバック制御の比例ゲインを設定してＦ／Ｂ単独制御を開始するようにしても良い。このようにすれば、検出燃圧と目標燃圧との偏差が大きくなるほど、比例ゲインを大きくしてＦ／Ｂ単独制御を実行できるので、Ｆ／Ｂ単独制御実行時の目標燃圧に対する実燃圧（検出燃圧）の追従性を向上させることができる。
【００２２】
また、フィードバック制御実行時（Ｆ／Ｂ単独制御実行時）に、少なくとも比例項と積分項を演算して制御量を求める場合は、請求項８のように、内燃機関の運転状態が非アイドル状態からアイドル状態に移行したときに、フィードフォワード制御の制御量をフィードバック制御の積分項の初期値にセットしてＦ／Ｂ単独制御を開始するようにしても良い。このようにすれば、Ｆ／Ｆ−Ｆ／Ｂ併用制御からＦ／Ｂ単独制御に切り換える際に、その切り換えの前後で高圧ポンプの制御量が急変することを回避することができ、安定した燃圧制御が可能となる。
【００２３】
更に、請求項９のように、内燃機関の運転状態がアイドル状態から非アイドル状態に移行したときに、フィードバック制御の積分項の値をフィードフォワード制御の制御量の初期値にセットしてＦ／Ｆ−Ｆ／Ｂ併用制御を開始するようにしても良い。このようにすれば、アイドル状態から非アイドル状態に移行したときに、Ｆ／Ｆ−Ｆ／Ｂ併用制御開始当初からフィードフォワード制御の適正な制御量が有効に働き始めるため、急速に燃圧を上昇させることができ、加速性やドライバビリティを向上させることができる。
【００２４】
また、請求項１０のように、内燃機関の運転状態が非アイドル状態からアイドル状態に移行し、且つ、燃圧検出手段の検出燃圧と目標燃圧との偏差が所定値以内になったときに、フィードフォワード制御の制御量をフィードバック制御の積分項の初期値にセットしてＦ／Ｂ単独制御を開始するようにしても良い。このようにすれば、内燃機関の運転状態がアイドル状態に移行してから燃圧制御状態が安定するのを待ってＦ／Ｆ−Ｆ／Ｂ併用制御から適正な積分項を持つＦ／Ｂ単独制御に切り換えることができ、Ｆ／Ｂ単独制御に切り換える際の燃圧安定性を更に向上させることができる。
【００２５】
また、請求項１１のように、内燃機関の運転状態が非アイドル状態からアイドル状態に移行したときに、フィードバック制御の積分項の初期値をその時の運転状態や燃圧に応じて設定してＦ／Ｂ単独制御を開始するようにしても良い。このようにすれば、内燃機関の運転状態が非アイドル状態からアイドル状態に移行したときに、その時の運転状態や燃圧に適合したＦ／Ｂ単独制御を実行することができ、安定した燃圧制御が可能となる。
【００２６】
また、請求項１２のように、内燃機関の始動からの経過時間が所定時間以内の場合、又は、内燃機関の冷却水温が所定温度以下の場合は、内燃機関の運転状態が非アイドル状態からアイドル状態に移行しても、Ｆ／Ｂ単独制御に移行せず、Ｆ／Ｆ−Ｆ／Ｂ併用制御を継続するようにしても良い。このようにすれば、内燃機関の始動直後の回転状態が不安定な時期や、内燃機関の暖機が完了していない時期に、Ｆ／Ｆ−Ｆ／Ｂ併用制御からＦ／Ｂ単独制御に切り換えられることを未然に防止でき、安定した燃圧制御が可能となる。
【発明を実施するための最良の形態】
【００２７】
以下、本発明を実施するための最良の形態を具体化した幾つかの実施例を説明する。
【実施例１】
【００２８】
本発明の実施例１を図１乃至図９に基づいて説明する。
まず、図１に基づいて筒内噴射エンジンの燃料供給システム全体の構成を説明する。
燃料を貯溜する燃料タンク１１内には、燃料を汲み上げる低圧ポンプ１２が設置されている。この低圧ポンプ１２は、バッテリ（図示せず）を電源とする電動モータ（図示せず）によって駆動される。この低圧ポンプ１２から吐出される燃料は、燃料配管１３を通して高圧ポンプ１４に供給される。燃料配管１３には、プレッシャレギュレータ１５が接続され、このプレッシャレギュレータ１５によって低圧ポンプ１２の吐出圧（高圧ポンプ１４への燃料供給圧力）が所定圧力に調圧され、その圧力を越える燃料の余剰分は燃料戻し管１６により燃料タンク１１内に戻されるようになっている。
【００２９】
図２に示すように、高圧ポンプ１４は、円筒状のポンプ室１８内でピストン１９を往復運動させて燃料を吸入／吐出するピストンポンプであり、ピストン１９は、エンジンのカム軸２０に嵌着されたカム２１の回転運動によって駆動される。この高圧ポンプ１４の吸入口２３側には、常開型の電磁弁からなる燃圧制御弁２２が設けられている。高圧ポンプ１４の吸入行程（ピストン１９の下降時）においては、燃圧制御弁２２が開弁されてポンプ室１８内に燃料が吸入され、吐出行程（ピストン１９の上昇時）においては、燃圧制御弁２２の閉弁時間（閉弁開始時期からピストン１９の上死点までの閉弁状態の時間）を制御することで、高圧ポンプ１４の吐出量を制御して燃圧（吐出圧力）を制御する。
【００３０】
つまり、燃圧を上昇させるときには、燃圧制御弁２２の閉弁開始時期（通電時期）を進角させることで、燃圧制御弁２２の閉弁時間を長くして高圧ポンプ１４の吐出量を増加させ、逆に、燃圧を低下させるときには、燃圧制御弁２２の閉弁開始時期（通電時期）を遅角させることで、燃圧制御弁２２の閉弁時間を短くして高圧ポンプ１４の吐出量を減少させる。
【００３１】
一方、高圧ポンプ１４の吐出口２４側には、吐出した燃料の逆流を防止する逆止弁２５が設けられている。図１に示すように、高圧ポンプ１４から吐出された燃料は、高圧燃料配管２６を通してデリバリパイプ２７に送られ、このデリバリパイプ２７からエンジンのシリンダヘッドに気筒毎に取り付けられた燃料噴射弁２８に高圧の燃料が分配される。高圧燃料配管２６には、燃圧を検出する燃圧センサ２９（燃圧検出手段）が設けられ、エンジンのシリンダブロックには、冷却水温を検出する冷却水温センサ３２が設けられている。
【００３２】
これら各種センサの出力は、エンジン制御回路（以下「ＥＣＵ」と表記する）３０に入力される。このＥＣＵ３０は、マイクロコンピュータを主体として構成され、図４に示すように、要求トルクとエンジン回転速度Ｎｅで区分された運転領域毎に目標燃圧を設定する目標燃圧設定手段として機能すると共に、燃圧センサ２９の検出燃圧（実燃圧）を目標燃圧に一致させるように高圧ポンプ１４の吐出量（燃圧制御弁２２の通電時期）を制御する燃圧制御手段３５として機能する。
【００３３】
図３に示すように、燃圧制御手段３５は、燃圧センサ２９の検出燃圧（実燃圧）と目標燃圧との偏差に応じてフィードバック制御量（Ｆ／Ｂ制御量）を設定するフィードバック制御部３６と、要求燃料噴射量とエンジン回転速度Ｎｅに応じて図５のマップによりフィードフォワード制御量（Ｆ／Ｆ制御量）を設定するフィードフォワード制御部３７と、燃圧制御モードをＦ／Ｆ−Ｆ／Ｂ併用制御とＦ／Ｂ単独制御との間で切り換える制御切換部３８とから構成されている。
【００３４】
制御切換部３８は、エンジン運転状態が非アイドル状態（アイドル信号ＯＦＦ）のときには、フィードフォワード制御部３７の出力（Ｆ／Ｆ制御量）を有効化して、このフィードフォワード制御部３７の出力（Ｆ／Ｆ制御量）をフィードバック制御部３６の出力（Ｆ／Ｂ制御量）に加算して高圧ポンプ１４の制御量を設定するＦ／Ｆ−Ｆ／Ｂ併用制御に切り換え、エンジン運転状態がアイドル状態（アイドル信号ＯＮ）のときには、フィードフォワード制御部３７の出力（Ｆ／Ｆ制御量）を無効化して、フィードバック制御部３６の出力（Ｆ／Ｂ制御量）のみを使用するＦ／Ｂ単独制御に切り換える。この際、Ｆ／Ｆ制御量の無効化は、フィードフォワード制御部３７の演算動作を完全に停止させても良いし、Ｆ／Ｆ制御量の演算を停止させずに、Ｆ／Ｆ制御量をＦ／Ｂ制御量に加算する処理のみを停止させるようにしても良い。
【００３５】
ここで、エンジン運転状態が非アイドル状態（アイドル信号ＯＦＦ）からアイドル状態（アイドル信号ＯＮ）に移行したときに、高圧ポンプ１４の吐出量制御（燃圧制御）をＦ／Ｆ−Ｆ／Ｂ併用制御からＦ／Ｂ単独制御に切り換える理由を説明する。
【００３６】
筒内噴射エンジン１１は、高圧ポンプ１４の吐出１回当たり燃料噴射弁２８の噴射が２〜３回行われるため、高圧ポンプ１４の吐出量制御をフィードバック制御のみで行ったのでは過渡時の目標燃圧の変化に対する実燃圧の追従性を確保できない可能性がある。この対策として、本実施例１では、燃料噴射量が多くなる非アイドル時（アイドル信号ＯＦＦ時）には、目標燃圧と実燃圧との偏差に応じて制御量を設定するフィードバック制御に加え、要求燃料噴射量等に応じて制御量を予測して設定するフィードフォワード制御を併用するＦ／Ｆ−Ｆ／Ｂ併用制御を実行するようにしている。
【００３７】
従来システムでは、エンジン停止直前にフィードフォワード制御により高圧ポンプが噴射２〜３回分の燃料を吐出した直後に噴射が実行されずにエンジンが停止されることがあり、その結果、図７に一点鎖線で示すように、エンジン停止直前の高圧ポンプの吐出により燃圧が大きく上昇した状態でエンジンが停止されてしまうことがある。このため、エンジン停止中に燃料噴射弁から漏れる燃料（油密）が多くなり、その漏れ燃料が筒内に溜まって次の始動時に未燃焼のまままま排出されてしまい、始動時の排気エミッションが悪化するという問題が発生する。図６に示すように、油密は燃圧が高くなるほど増加するため、油密を低減するには、エンジン停止時の燃圧を低下させることが効果的である。
【００３８】
そこで、本実施例１では、エンジンが停止する際には、アイドル状態（アイドル信号ＯＮ）を経て停止することに着目して、エンジン運転状態が非アイドル状態（アイドル信号ＯＦＦ）からアイドル状態（アイドル信号ＯＮ）に移行したときに、フィードフォワード制御部３７の出力（Ｆ／Ｆ制御量）を無効化して、フィードバック制御部３６の出力（Ｆ／Ｂ制御量）のみを使用するＦ／Ｂ単独制御に切り換える。このようにすれば、エンジン停止直前にフィードフォワード制御により高圧ポンプ１４が噴射２〜３回分の燃料を吐出することを未然に防止できて、エンジン停止時の燃圧を従来よりも低下させて油密を低減させることができる。
【００３９】
更に、本実施例１では、図６に示すように、エンジン停止中の燃圧が高くなるほど油密が増加するという事情を考慮して、エンジン運転状態が非アイドル状態からアイドル状態に移行したときに、目標燃圧を通常よりも低圧（例えば４ＭＰａ程度）に設定してＦ／Ｂ単独制御を実行するようにしている。これにより、エンジン停止時の燃圧をより確実に低下させることができ、エンジン停止中の油密をより確実に低減することができる。
【００４０】
以上説明した本実施例１の高圧ポンプ１４の吐出量制御（燃圧制御）は、ＥＣＵ３０によって図８及び図９の各ルーチンに従って実行される。以下、これら各ルーチンの処理内容を説明する。
【００４１】
［目標燃圧演算ルーチン］
図８の目標燃圧演算ルーチンは、ＥＣＵ３０の電源オン中に所定周期で実行され、特許請求の範囲でいう目標燃圧設定手段としての役割を果たす。本ルーチンが起動されると、まず、ステップ１０１で、エンジン回転速度Ｎｅを読み込んだ後、ステップ１０２に進み、運転者が要求するエンジントルクである要求トルクを読み込む。
【００４２】
この後、ステップ１０３に進み、アイドル時であるか否かを判定する。その結果、アイドル時ではないと判定されたときには、ステップ１０４に進み、図４に示す通常の目標燃圧のマップを参照して、現在のエンジン回転速度Ｎｅと要求トルクに応じた通常の目標燃圧を算出する。この通常の目標燃圧のマップは、エンジン回転速度Ｎｅが高くなるほど又は要求トルクが大きくなるほど目標燃圧が高くなるように設定されている。例えば、低回転・低負荷領域では目標燃圧が例えば８ＭＰａに設定され、中回転・中負荷領域では目標燃圧が例えば１０ＭＰａに設定され、高回転・高負荷領域では目標燃圧が例えば１２〜１４ＭＰａに設定されている。
【００４３】
一方、上記ステップ１０３で、アイドル時と判定されたときには、ステップ１０５に進み、アイドル時の目標燃圧を設定する。このアイドル時の目標燃圧は、非アイドル時の燃圧制御範囲（例えば８〜１４ＭＰａ）よりも低い燃圧（例えば４ＭＰａ）に設定されている。
【００４４】
［高圧ポンプ制御ルーチン］
図９の高圧ポンプ制御ルーチンは、ＥＣＵ３０の電源オン中に所定周期で実行され、特許請求の範囲でいう燃圧制御手段としての役割を果たす。本ルーチンが起動されると、まず、ステップ２０１で、アイドル時であるか否かを判定する。その結果、アイドル時ではないと判定されれば、Ｆ／Ｆ−Ｆ／Ｂ併用制御を実行するために、ステップ２０２に進み、燃圧センサ２９の検出燃圧（実燃圧）と目標燃圧との偏差に応じてＦ／Ｂ制御量を設定するフィードバック制御（Ｆ／Ｂ制御）を実行すると共に、次のステップ２０３で、要求燃料噴射量とエンジン回転速度Ｎｅに応じて図５のマップによりＦ／Ｆ制御量を設定するフィードフォワード制御（Ｆ／Ｆ制御）を実行する。
【００４５】
これに対して、上記ステップ２０１で、アイドル時であると判定されれば、ステップ２０４に進み、フィードバック制御のみで高圧ポンプ１４の制御量を設定するＦ／Ｂ単独制御を実行する。
【００４６】
以上説明した本実施例１によれば、アイドル時にフィードバック制御のみで高圧ポンプ１４の制御量を設定するＦ／Ｂ単独制御に切り換えるため、エンジン停止直前にフィードフォワード制御により高圧ポンプ１４が噴射２〜３回分の燃料を吐出することを未然に防止できて、エンジン停止時の燃圧を従来よりも低下させことができる（図７参照）。これにより、エンジン停止中の油密を低減して始動時の排気エミッションを改善することができると共に、従来の油密低減技術におけるコストアップ、ベーパ発生、エンジン停止時期の遅れの問題を解決することができる。
【実施例２】
【００４７】
ところで、上記実施例１では、アイドル時にＦ／Ｂ単独制御に切り換えるようにしたが、アイドル時であっても、例えばエンジン未暖機時やエアコン等の補機類の負荷増大時のように、目標アイドル回転速度を上昇させるアイドルアップ制御が実行されるときには、目標燃圧（要求燃料噴射量）が通常のアイドル時よりも上昇するため、フィードバック制御のみでは、アイドルアップ制御開始時の目標燃圧の変化に対する実燃圧の追従性が遅くなる可能性がある。また、非アイドル状態からアイドル状態に移行した直後は、まだ実燃圧が高くて、アイドル時の目標燃圧と実燃圧との偏差が大きいために、フィードバック制御のみでは、アイドル時の目標燃圧に対する実燃圧の追従性が遅くなる可能性がある。
【００４８】
そこで、本発明の実施例２では、Ｆ／Ｂ単独制御の実行条件を、(1) アイドル時で、且つ(2) 目標燃圧（又は燃圧センサ２９の検出燃圧）が所定値未満とすることで、アイドル時であっても、目標燃圧（又は燃圧センサ２９の検出燃圧）が所定値以上であれば、Ｆ／Ｂ単独制御に切り換えずにＦ／Ｆ−Ｆ／Ｂ併用制御を実行するようにしている。
【００４９】
本実施例２で実行する図１０の高圧ポンプ制御ルーチンは、前記実施例１で説明した図９の高圧ポンプ制御ルーチンのステップ２０１の次にステップ２０１ａの判定処理を追加したものであり、その他の各ステップの処理は同じである。
【００５０】
図１０の高圧ポンプ制御ルーチンでは、ステップ２０１でアイドル時と判定されると、ステップ２０１ａに進み、目標燃圧（又は燃圧センサ２９の検出燃圧）が所定値よりも低いか否かを判定する。ここで、所定値は、例えば、通常のアイドル時の目標燃圧よりも少し高い燃圧で、アイドルアップ制御実行時の目標燃圧よりも低い燃圧に設定されている。そして、このステップ２０１ａで、目標燃圧（又は燃圧センサ２９の検出燃圧）が所定値以上と判定されれば、ステップ２０２、２０３に進み、アイドル時であっても、非アイドル時と同様にＦ／Ｆ−Ｆ／Ｂ併用制御を実行する。
【００５１】
これに対して、上記ステップ２０１ａで、目標燃圧（又は燃圧センサ２９の検出燃圧）が所定値よりも低いと判定されれば、ステップ２０４に進み、Ｆ／Ｂ単独制御を実行する。
【００５２】
以上説明した本実施例２によれば、アイドル時であっても、アイドルアップ制御実行時のように、目標燃圧（要求燃料噴射量）が通常のアイドル時よりも上昇する場合（又はアイドル状態からアイドル状態に移行した直後でアイドル時の目標燃圧と実燃圧との偏差が大きい場合）には、非アイドル時と同様にＦ／Ｆ−Ｆ／Ｂ併用制御を実行することができ、目標燃圧に対する実燃圧の追従性を確保できる。
【実施例３】
【００５３】
本発明の実施例３で実行する図１１の高圧ポンプ制御ルーチンは、前記実施例２で説明した図１０の高圧ポンプ制御ルーチンのステップ２０１の前に２つのステップ１９９、２００の判定処理を追加したものであり、その他の各ステップの処理は同じである。
【００５４】
本ルーチンが起動されると、まずステップ１９９で、エンジン始動から所定時間以上経過したか否かを判定する。ここで、所定時間は、例えば温間再始動後（暖機状態のエンジンを再始動した後）にエンジン回転状態が安定するまでに必要な経過時間に相当する時間に設定されている。このステップ１９９で、エンジン始動から所定時間以上経過していないと判定されれば、エンジン回転状態が安定していないと判断して、アイドル状態であるか否かを問わず、ステップ２０２、２０３に進み、Ｆ／Ｆ−Ｆ／Ｂ併用制御を実行する。      
【００５５】
一方、上記ステップ１９９で、エンジン始動から所定時間以上経過していると判定されれば、ステップ２００に進み、冷却水温センサ３２で検出した冷却水温が暖機完了温度に相当する所定水温よりも高いか否かで、エンジンの暖機が完了しているか否かを判定する。その結果、冷却水温が所定水温以下と判定されれば、エンジンの暖機が完了していないと判断して、ステップ２０２、２０３に進み、Ｆ／Ｆ−Ｆ／Ｂ併用制御を実行する。
【００５６】
これに対して、上記ステップ２００で、冷却水温が所定水温よりも高いと判定されれば、エンジンの暖機が完了していると判断して、ステップ２０１に進み、アイドル時であるか否かを判定し、アイドル時であれば、ステップ２０１ａに進み、目標燃圧（又は燃圧センサ２９の検出燃圧）が所定値よりも低いか否かを判定し、目標燃圧（又は燃圧センサ２９の検出燃圧）が所定値よりも低ければ、ステップ２０４に進み、Ｆ／Ｂ単独制御を実行する。
【００５７】
要するに、本実施例３のＦ／Ｂ単独制御の実行条件は、次の(1) 〜(4) の条件を全て満たすことである。
(1) エンジン始動から所定時間以上経過していること（始動直後のエンジン回転が不安定な時期を過ぎていること）
(2) 冷却水温が所定水温よりも高いこと（エンジンの暖機が完了していること）
(3) アイドル時であること
(4) 目標燃圧（又は燃圧センサ２９の検出燃圧）が所定値よりも低いこと
【００５８】
これら４つの条件(1) 〜(4) のうち１つでも満たさない条件があれば、Ｆ／Ｂ単独制御の実行条件が不成立となり、Ｆ／Ｆ−Ｆ／Ｂ併用制御を実行し、４つの条件(1) 〜(4) を全て満たしたときのみ、Ｆ／Ｂ単独制御を実行する。
【００５９】
以上説明した本実施例３によれば、アイドル時であっても、始動直後でエンジン回転が不安定な状態であったり、アイドルアップ制御実行時のように、目標燃圧（要求燃料噴射量）が通常のアイドル時よりも上昇する場合（又はアイドル状態からアイドル状態に移行した直後でアイドル時の目標燃圧と実燃圧との偏差が大きい場合）には、非アイドル時と同様にＦ／Ｆ−Ｆ／Ｂ併用制御を実行することができ、目標燃圧に対する実燃圧の追従性を確保できる。
【実施例４】
【００６０】
エンジン運転状態がアイドル状態（アイドル信号ＯＮ）から非アイドル状態（アイドル信号ＯＦＦ）に移行したときには、急速に燃圧を上昇させる必要があるが、Ｆ／Ｂ単独制御の実行中にフィードフォワード制御の制御量（Ｆ／Ｆ制御量）の演算を完全に停止すると、Ｆ／Ｂ単独制御からＦ／Ｆ−Ｆ／Ｂ併用制御に切り換えたときに、Ｆ／Ｆ−Ｆ／Ｂ併用制御の開始当初はフィードフォワード制御の制御量（Ｆ／Ｆ制御量）が有効に働かず、その分、燃圧上昇が遅れる可能性がある。
【００６１】
この対策として、図１２に示す本発明の実施例４では、エンジン運転状態がアイドル状態（アイドル信号ＯＮ）でＦ／Ｂ単独制御を実行している期間も、Ｆ／Ｆ制御量を内部的に演算する処理を続行し、エンジン運転状態がアイドル状態（アイドル信号ＯＮ）から非アイドル状態（アイドル信号ＯＦＦ）に移行した時点ｔ1 で、その直前に演算したＦ／Ｆ制御量を使用してＦ／Ｆ−Ｆ／Ｂ併用制御を直ちに開始するようにしている。このようにすれば、アイドル状態から非アイドル状態に移行したときに、Ｆ／Ｆ−Ｆ／Ｂ併用制御の開始当初から適正なＦ／Ｆ制御量が有効に働き始めるため、急速に燃圧を上昇させることができ、加速性やドライバビリティを向上させることができる。
【実施例５】
【００６２】
図１３に示す本発明の実施例５では、エンジン運転状態が非アイドル状態（アイドル信号ＯＦＦ）からアイドル状態（アイドル信号ＯＮ）に移行した時点ｔ1 で、Ｆ／Ｆ制御量を徐々に減少させる徐変制御を実行し、この徐変制御を所定時間Δｔだけ行った時点ｔ2 で、Ｆ／Ｂ単独制御に移行するようにしている。このようにすれば、Ｆ／Ｂ単独制御に切り換える前後でＦ／Ｂ制御量の急変を避けることができて、アイドル状態移行初期の燃圧安定性やエンジンの回転安定性を向上させることができる。
【００６３】
尚、徐変制御の実行時間はタイマで設定しても良いし、Ｆ／Ｆ制御量が所定値以下（又はほぼ０）に減少するまで徐変制御を実行するようにしても良い。
【実施例６】
【００６４】
図１４に示す本発明の実施例６では、エンジン運転状態が非アイドル状態（アイドル信号ＯＦＦ）からアイドル状態（アイドル信号ＯＮ）に移行してから所定のディレイ時間Δｔが経過するまでＦ／Ｆ−Ｆ／Ｂ併用制御を継続し、当該ディレイ時間Δｔが経過した時点ｔ2 で、Ｆ／Ｂ単独制御に移行するようにしている。このようにすれば、エンジン運転状態がアイドル状態に移行してから燃圧制御状態やエンジン回転状態が安定するのを待ってＦ／Ｆ−Ｆ／Ｂ併用制御からＦ／Ｂ単独制御に切り換えることができ、Ｆ／Ｂ単独制御に切り換える際の燃圧安定性やエンジンの回転安定性を向上させることができる。
【００６５】
尚、ディレイ時間Δｔは予め設定した一定時間であっても良いし、非アイドル状態からアイドル状態に移行した時の燃圧やエンジン運転状態（エンジン回転速度等）に基づいて燃圧制御状態やエンジン回転状態が安定するまでに要する時間を予測して、それをディレイ時間Δｔに設定するようにしても良い。
【実施例７】
【００６６】
図１５及び図１６に示す本発明の実施例７では、エンジン運転状態が非アイドル状態（アイドル信号ＯＦＦ）からアイドル状態（アイドル信号ＯＮ）に移行した時点ｔ1 で、目標燃圧をアイドル時の目標燃圧（例えば４ＭＰａ）に低下させると共に、目標燃圧と実燃圧（燃圧センサ２９の検出燃圧）との偏差に応じてフィードバック制御の比例ゲインを図１６のマップにより設定して、フィードバック制御のみを使用するＦ／Ｂ単独制御を開始し、このＦ／Ｂ単独制御の実行中も目標燃圧と実燃圧との偏差に応じて図１６のマップにより比例ゲインを設定するようにしている。図１６のマップの特性は、目標燃圧と実燃圧との偏差（絶対値）が大きくなるほど比例ゲインが大きくなるように設定されている。
【００６７】
この場合、フィードバック制御（Ｆ／Ｂ単独制御）は、比例項（Ｐ項）と積分項（Ｉ項）を演算するＰＩ制御を用いたり、或は、比例項（Ｐ項）と積分項（Ｉ項）に微分項（Ｄ項）を加えたＰＩＤ制御を用いても良い。ＰＩ制御、ＰＩＤ制御のいずれの場合も、Ｐ項は、比例ゲインに目標燃圧と実燃圧との偏差を乗算して求められる。
【００６８】
Ｐ項＝比例ゲイン×（目標燃圧−実燃圧）
ＰＩ制御によるＦ／Ｂ制御量＝Ｐ項＋Ｉ項
ＰＩＤ制御によるＦ／Ｂ制御量＝Ｐ項＋Ｉ項＋Ｄ項
【００６９】
この構成では、非アイドル状態からアイドル状態に移行した時点ｔ1 では、目標燃圧と実燃圧との偏差（絶対値）が大きいため、Ｆ／Ｂ単独制御開始時の比例ゲインが大きな値に設定される。これにより、Ｆ／Ｂ単独制御開始当初からフィードバック制御（Ｆ／Ｂ単独制御）のＰ項が大きくなってＦ／Ｂ制御量が大きくなるため、Ｆ／Ｂ単独制御開始当初から十分なＦ／Ｂ制御量（高圧ポンプ１４の制御量）を確保できて、Ｆ／Ｂ単独制御実行時の目標燃圧に対する実燃圧（検出燃圧）の追従性を向上させることができる。
【実施例８】
【００７０】
本発明の実施例８を図１７及び図１８に基づいて説明する。本実施例８では、フィードバック制御（Ｆ／Ｂ単独制御）をＰＩ制御又はＰＩＤ制御により実行するシステムにおいて、図１７に示すように、エンジン運転状態が非アイドル状態（アイドル信号ＯＦＦ）からアイドル状態（アイドル信号ＯＮ）に移行した時点ｔ1 で、フィードフォワード制御の制御量（Ｆ／Ｆ制御量）をフィードバック制御のＩ項の初期値にセットしてＦ／Ｂ単独制御を開始する。その後、図１８に示すように、エンジン運転状態がアイドル状態（アイドル信号ＯＮ）からアイドル状態（アイドル信号ＯＦＦ）に移行した時点ｔ2 で、フィードバック制御（Ｆ／Ｂ単独制御）のＩ項の値をフィードフォワード制御の制御量（Ｆ／Ｆ制御量）の初期値にセットしてＦ／Ｆ−Ｆ／Ｂ併用制御を開始する。
【００７１】
本実施例８によれば、Ｆ／Ｆ−Ｆ／Ｂ併用制御からＦ／Ｂ単独制御に切り換える際に、Ｆ／Ｆ制御量をフィードバック制御のＩ項の初期値にセットしてＦ／Ｂ単独制御を開始するようにしたので、Ｆ／Ｆ−Ｆ／Ｂ併用制御からＦ／Ｂ単独制御に切り換える際に、その切り換えの前後で高圧ポンプ１４の制御量が急変することを回避することができ、安定した燃圧制御が可能となる。
【００７２】
また、Ｆ／Ｂ単独制御からＦ／Ｆ−Ｆ／Ｂ併用制御に切り換える際に、フィードバック制御（Ｆ／Ｂ単独制御）のＩ項の値をフィードフォワード制御の制御量（Ｆ／Ｆ制御量）の初期値にセットしてＦ／Ｆ−Ｆ／Ｂ併用制御を開始するようにしたので、Ｆ／Ｆ−Ｆ／Ｂ併用制御開始当初から適正なＦ／Ｆ制御量が有効に働き始めるようになる。これにより、Ｆ／Ｆ−Ｆ／Ｂ併用制御開始後に、急速に燃圧を上昇させることができ、加速性やドライバビリティを向上させることができる。
【実施例９】
【００７３】
図１９に示す本発明の実施例９では、エンジン運転状態が非アイドル状態（アイドル信号ＯＦＦ）からアイドル状態（アイドル信号ＯＮ）に移行した時点ｔ1 で、目標燃圧をアイドル時の目標燃圧（例えば４ＭＰａ）に低下させるが、Ｆ／Ｆ−Ｆ／Ｂ併用制御を暫く継続する。そして、目標燃圧と実燃圧（燃圧センサ２９の検出燃圧）との偏差が所定値以内になった時点ｔ2 で、その時のＦ／Ｆ制御量をフィードバック制御のＩ項の初期値にセットしてＦ／Ｆ−Ｆ／Ｂ併用制御からＦ／Ｂ単独制御に切り換える。
【００７４】
このようにすれば、エンジン運転状態がアイドル状態に移行してから燃圧制御状態が安定するのを待ってＦ／Ｆ−Ｆ／Ｂ併用制御から適正なＩ項を持つＦ／Ｂ単独制御に切り換えることができ、Ｆ／Ｂ単独制御に切り換える際の燃圧安定性を更に向上させることができる。
【実施例１０】
【００７５】
図２０に示す本発明の実施例９では、エンジン運転状態が非アイドル状態（アイドル信号ＯＦＦ）からアイドル状態（アイドル信号ＯＮ）に移行した時点ｔ1 で、フィードバック制御のＩ項の初期値をその時のエンジン運転状態（エンジン回転速度Ｎｅ等）や燃圧に応じて図２１のＩ項マップにより設定してＦ／Ｂ単独制御を開始する。図２１のＩ項マップは、予め、適合工程等で作成したものを使用すれば良い。
【００７６】
このようにすれば、エンジン運転状態が非アイドル状態からアイドル状態に移行したときに、その時のエンジン運転状態や燃圧に適合したＦ／Ｂ単独制御を実行することができ、安定した燃圧制御が可能となる。
【図面の簡単な説明】
【００７７】
【図１】本発明の実施例１における燃料噴射システム全体の概略構成を示す図である。
【図２】高圧ポンプの構成図である。
【図３】燃圧制御手段の機能を説明するブロック図である。
【図４】通常の目標燃圧のマップの一例を概念的に示す図である。
【図５】要求燃料噴射量等に応じてＦ／Ｆ制御量を設定するマップの一例を概念的に示す図である。
【図６】燃圧と油密（燃料漏れ量）との関係を示す図である。
【図７】エンジン停止後の燃圧挙動の一例を示すタイムチャートである。
【図８】実施例１の目標燃圧演算ルーチンの処理の流れを示すフローチャートである。
【図９】実施例１の高圧ポンプ制御ルーチンの処理の流れを示すフローチャートである。
【図１０】実施例２の高圧ポンプ制御ルーチンの処理の流れを示すフローチャートである。
【図１１】実施例３の高圧ポンプ制御ルーチンの処理の流れを示すフローチャートである。
【図１２】実施例４の制御例を示すタイムチャートである。
【図１３】実施例５の制御例を示すタイムチャートである。
【図１４】実施例６の制御例を示すタイムチャートである。
【図１５】実施例７の制御例を示すタイムチャートである。
【図１６】目標燃圧と実燃圧との偏差に応じて比例ゲインを設定するマップの一例を概念的に示す図である。
【図１７】実施例８の制御例を示すタイムチャートである（その１）。
【図１８】実施例８の制御例を示すタイムチャートである（その２）。
【図１９】実施例９の制御例を示すタイムチャートである。
【図２０】実施例１０の制御例を示すタイムチャートである。
【図２１】エンジン回転速度Ｎｅと燃圧に応じてＩ項を設定するマップを概念的に示す図である。
【符号の説明】
【００７８】
１１…燃料タンク、１２…低圧ポンプ、１４…高圧ポンプ、１９…ピストン、２０…カム軸、２１…カム、２２…燃圧制御弁、２５…逆止弁、２６…高圧燃料配管、２７…デリバリパイプ、２８…燃料噴射弁、２９…燃圧センサ（燃圧検出手段）、３０…ＥＣＵ（目標燃圧設定手段，燃圧制御手段）、３１…イグニッションスイッチ、３２…冷却水温センサ、３５…燃圧制御手段、３６…フィードバック制御部、３７…フィードフォワード制御部、３８…制御切換部
【図１】
0004538851.tif 000002
【図２】
0004538851.tif 000003
【図３】
0004538851.tif 000004
【図４】
0004538851.tif 000005
【図５】
0004538851.tif 000006
【図６】
0004538851.tif 000007
【図７】
0004538851.tif 000008
【図８】
0004538851.tif 000009
【図９】
0004538851.tif 000010
【図１０】
0004538851.tif 000011
【図１１】
0004538851.tif 000012
【図１２】
0004538851.tif 000013
【図１３】
0004538851.tif 000014
【図１４】
0004538851.tif 000015
【図１５】
0004538851.tif 000016
【図１６】
0004538851.tif 000017
【図１７】
0004538851.tif 000018
【図１８】
0004538851.tif 000019
【図１９】
0004538851.tif 000020
【図２０】
0004538851.tif 000021
【図２１】
0004538851.tif 000022